(57)【要約】【課題】操作者の操作ミスを防止する。【解決手段】制御対象を制御するコントローラ２への操作指示を入力する操作画面上に複数の操作ボタンを表示させる表示部１１と、操作者のアクセス権限レベルが、全ての操作を許可するレベルであるか否かを判定する判定部１２と、操作者のアクセス権限レベルが全ての操作を許可するレベルではないと判定された場合に、操作画面上に表示される操作ボタンのうち、予め定められた特定の操作ボタンの表示を許可するか否かを示す値をアクセス権限レベルごとに設定した表示許可パラメータを、コントローラ２から取得する取得部１３と、を備え、表示部１１は、取得された表示許可パラメータが、特定の操作ボタンの表示を許可しないことを示す値である場合に、特定の操作ボタンを操作画面上に表示しない。【選択図】図１
2015036848.tif 000002
【特許請求の範囲】
【請求項１】
制御対象を制御するコントローラに対して、前記制御対象への制御量を調整する操作指示を入力可能な操作端末であって、
前記操作指示を入力する操作画面上に複数の操作ボタンを表示させる表示部と、
操作者のアクセス権限レベルが、全ての操作を許可するレベルであるか否かを判定する判定部と、
前記判定部により前記操作者のアクセス権限レベルが全ての操作を許可するレベルではないと判定された場合に、前記操作画面上に表示される前記操作ボタンのうち、予め定められた特定の操作ボタンの表示を許可するか否かを示す値を前記アクセス権限レベルごとに設定した表示許可パラメータを、前記コントローラから取得する取得部と、を備え、
前記表示部は、前記取得部により取得された前記表示許可パラメータが、前記特定の操作ボタンの表示を許可しないことを示す値である場合に、前記特定の操作ボタンを前記操作画面上に表示しない、ことを特徴とする操作端末。
【請求項２】
前記特定の操作ボタンは、前記コントローラが前記制御対象に出力する出力値を直接指定する手動モードを選択する際に押下する手動モードボタンである、ことを特徴とする請求項１記載の操作端末。
【請求項３】
前記出力値は、比例・積分・微分制御による出力値である、ことを特徴とする請求項２記載の操作端末。
【発明の詳細な説明】
【技術分野】
【０００１】
本発明は、操作端末に関する。
【背景技術】
【０００２】
生産プロセスを管理する現場では、プラント内に多数の機器（例えばセンサ機器やバルブポジショナ等のデバイス）を配置してプロセスを管理する。これらの機器は、コントローラにより統括制御されており、オペレータ等の操作者は、コントローラの制御下にある機器の運転状況を監視しながらプロセスを管理する。
【０００３】
操作者が使用する操作端末は、コントローラの操作パネルを擬似的に画面上に表示できるようになっている（例えば、下記特許文献１参照）。操作者は、画面上に表示された操作パネルの各種ボタン等を操作しながら、制御対象機器への制御量等を調整する。コントローラには、動作モードとして、自動モードと手動モードとが設けられている。自動モードは、例えば、ある機器が測定したプロセス値と操作者が設定した目標値とに基づいてコントローラが算出した演算値を制御対象機器に出力する動作モードである。手動モードは、操作者が指定した値を制御対象機器に出力する動作モードである。自動モードと手動モードとは、操作パネルに設けられたボタンを操作して切り替えることができる。
【先行技術文献】
【特許文献】
【０００４】
【特許文献１】特開２０００−８９８１９号公報
【発明の概要】
【発明が解決しようとする課題】
【０００５】
ところで、上記特許文献１に記載の操作端末では、自動モードと手動モードとの切り替えについて、特に制限を設けていない。したがって、例えば、システム全体を把握していない操作者が、システムに異常が発生し、慌てて手動モードに切り替えて操作することも可能となる。このような場合、操作者の操作ミスにより、システムが予期しない動作を引き起こす可能性がある。
【０００６】
本発明は、上述した問題点を解消するためになされたものであり、操作者の操作ミスを防止することができる操作端末を提供することを目的とする。
【課題を解決するための手段】
【０００７】
本発明に係る操作端末は、制御対象を制御するコントローラに対して、前記制御対象への制御量を調整する操作指示を入力可能な操作端末であって、前記操作指示を入力する操作画面上に複数の操作ボタンを表示させる表示部と、操作者のアクセス権限レベルが、全ての操作を許可するレベルであるか否かを判定する判定部と、前記判定部により前記操作者のアクセス権限レベルが全ての操作を許可するレベルではないと判定された場合に、前記操作画面上に表示される前記操作ボタンのうち、予め定められた特定の操作ボタンの表示を許可するか否かを示す値を前記アクセス権限レベルごとに設定した表示許可パラメータを、前記コントローラから取得する取得部と、を備え、前記表示部は、前記取得部により取得された前記表示許可パラメータが、前記特定の操作ボタンの表示を許可しないことを示す値である場合に、前記特定の操作ボタンを前記操作画面上に表示しない、ことを特徴とする。
【０００８】
かかる構成を採用することで、操作者のアクセス権限レベルが全ての操作を許可するレベルではないと判定した場合に、コントローラから表示許可パラメータを取得することができ、この表示許可パラメータの値が、特定の操作ボタンの表示を許可しないことを示す値である場合に、その特定の操作ボタンを操作画面上に表示しない、ことが可能となる。
【０００９】
上記特定の操作ボタンは、前記コントローラが前記制御対象に出力する出力値を直接指定する手動モードを選択する際に押下する手動モードボタンである、こととしてもよい。また、上記出力値は、比例・積分・微分制御による出力値である、こととしてもよい。
【発明の効果】
【００１０】
本発明によれば、操作者の操作ミスを防止することができる操作端末を提供することができる。
【図面の簡単な説明】
【００１１】
【図１】実施形態における操作端末を含む機器管理システムの構成を例示する図である。
【図２】図１に示すコントローラの演算機能構成を例示する図である。
【図３】図１に示す操作端末の画面上に表示されるコントローラの操作パネルを例示する図である。
【図４】図１に示す操作端末の画面上に表示されるコントローラの操作パネルを例示する図である。
【図５】実施形態における操作端末の動作を説明するためのフローチャートである。
【発明を実施するための形態】
【００１２】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１３】
図１は、本発明の実施形態における操作端末を含む機器管理システムの概略構成を示す図である。図１に例示するように、機器管理システム１００は、操作端末１と、コントローラ２と、デバイス３であるセンサ機器３ａおよびバルブポジショナ３ｂと、を備える。
【００１４】
デバイス３は、プラント内に配置される機器であり、例えば、ファウンデーションフィールドバス(Foundation Fieldbus)技術に対応する機器や、ＨＡＲＴ（Highway Addressable Remote Transducer）通信機能を搭載した機器を、デバイス３として用いることができる。デバイス３には、流量や圧力、温度等を検出する各種のセンサ機器３ａ、流量制御弁や圧力制御弁等の各種バルブを制御するバルブポジショナ３ｂ、ポンプやファン等を動作させる各種アクチュエータ等が含まれる。
【００１５】
コントローラ２は、下位階層に位置するデバイス３を統括制御する機器である。コントローラ２は、例えば、センサ機器３ａから取得した流量や圧力等の測定値に基づいて、バルブポジショナ３ｂを制御することで、配管に設けられたバルブの開度等を調節する。
【００１６】
コントローラ２は、機能的には、例えば、通信部２１とＰＩＤ演算部２２とを有する。通信部２１は、操作端末１やデバイス３との間でやり取りする通信を制御する。
【００１７】
ＰＩＤ演算部２２は、例えば図２に示すように、操作端末１で設定された目標値（設定値）や、センサ機器３ａからのプロセス値（測定値）に基づいて、微分、積分、加算、減算、乗算、除算等の演算を行い、演算結果となる演算値を出力する比例・積分・微分制御（以下、「ＰＩＤ制御」という。）を行う。
【００１８】
コントローラ２には、動作モードとして、後述する自動モードと手動モードとがある。図２に示すように、コントローラ２の内部には、動作モードを切り替えるスイッチ２３が設けられている。スイッチ２３を、自動モード側の接点２３１に切り替えると自動モードになり、手動モード側の接点２３２に切り替えると手動モードになる。
【００１９】
自動モードは、ＰＩＤ演算部２２の演算値を制御対象機器（図２ではバルブポジショナ３ｂ）に出力する動作モードである。手動モードは、操作端末１で指定された指定値を制御対象機器（図２ではバルブポジショナ３ｂ）に出力する動作モードである。
【００２０】
自動モードと手動モードとは、操作パネルに設けられたボタンを操作して切り替えることができる。図３にコントローラ２の操作パネルを例示する。コントローラ２の操作パネル２４上には、操作ボタンとして、例示的に、自動ボタン２４１と、手動ボタン２４２と、モードボタン２４３とが設けられている。自動ボタン２４１を押下すると、スイッチ２３が自動モード側の接点２３１に切り替わる。手動ボタン２４２を押下すると、スイッチ２３が手動モード側の接点２３２に切り替わる。自動ボタン２４１および手動ボタン２４２は、モードボタン２４３を押下状態にすることで操作可能な状態になる。モードボタン２４３の表面には、その時点で選択されている動作モードが表示される。
【００２１】
図１に示す操作端末１は、システムを運用するオペレータ等の操作者が使用する端末であり、図３に示すコントローラ２の操作パネル２４を擬似的に画面上に表示する。画面上に表示された操作パネル２４を操作すると、その操作指示がコントローラ２に送信され、コントローラ２は、コントローラ２の操作パネル２４が操作されたときと同様の動作を行う。
【００２２】
図１に示すように、操作端末１は、機能的には、例えば、表示部１１と、判定部１２と、取得部１３とを有する。
【００２３】
判定部１２は、モードボタン２４３が押下されたときに、操作者のアクセス権限レベルを判定する。アクセス権限レベルとしては、例えば、全ての操作を許可する管理者レベル、操作の一部が制限されるオペレータレベルを設定することができる。操作者のアクセス権限レベルは、操作端末１にログインする際に入力される操作者のＩＤに基づいて設定してもよいし、操作端末１の画面上から操作者が選択して設定できることとしてもよい。操作者が選択する場合には、現在設定されているアクセス権限レベルよりも高いレベルを選択する際に、正しいパスワードが入力されたことを条件にして、選択されたアクセス権限レベルに設定変更できることとすればよい。
【００２４】
取得部１３は、操作者のアクセス権限レベルがオペレータレベルである場合に、手動ボタン表示許可パラメータをコントローラ２から取得する。手動ボタン表示許可パラメータには、アクセス権限レベルがオペレータレベルである操作者に対して、手動ボタンの表示を許可するか否かを示す値が設定される。
【００２５】
表示部１１は、操作画面上にコントローラ２の操作パネル２４を擬似的に表示させる。表示部１１は、操作パネル２４の手動ボタン２４２の表示有無を制御する。具体的に説明する。表示部１１は、取得部１３により取得された手動ボタン表示許可パラメータの値が“ＯＦＦ”である場合には、図４に示すように、操作画面上の操作パネル２４に手動ボタン２４２を表示しない。一方、表示部１１は、取得部１３により取得された手動ボタン表示許可パラメータの値が“ＯＮ”である場合には、図３に示すように、操作画面上の操作パネル２４に手動ボタン２４２を表示する。
【００２６】
次に、図５を参照して、実施形態における操作端末１の動作について説明する。
【００２７】
最初に、操作者が、操作端末１の画面上に表示されている操作パネル２４のモードボタン２４３を押下する（ステップＳ１０１）。
【００２８】
続いて、操作端末１の判定部１２は、操作者のアクセス権限レベルがオペレータレベルであるか否かを判定する（ステップＳ１０２）。この判定がＮＯである場合（ステップＳ１０２；ＮＯ）に、操作端末１の表示部１１は、操作画面上の操作パネル２４に手動ボタン２４２を表示する（ステップＳ１０６）。そして、本動作を終了する。
【００２９】
一方、上記ステップＳ１０２の判定で操作者のアクセス権限レベルがオペレータレベルであると判定された場合（ステップＳ１０２；ＹＥＳ）に、操作端末１の取得部１３は、手動ボタン表示許可パラメータをコントローラ２から取得する（ステップＳ１０３）。
【００３０】
続いて、操作端末１の表示部１１は、上記ステップＳ１０３で取得された手動ボタン表示許可パラメータの値が“ＯＦＦ”であるか否かを判定する（ステップＳ１０４）。この判定がＮＯである場合（ステップＳ１０４；ＮＯ）には、上記ステップＳ１０６に処理を移行する。
【００３１】
一方、上記ステップＳ１０４の判定で手動ボタン表示許可パラメータの値が“ＯＦＦ”であると判定された場合（ステップＳ１０４；ＹＥＳ）に、操作端末１の表示部１１は、操作画面上の操作パネル２４に手動ボタン２４２を表示しない（ステップＳ１０５）。そして、本動作を終了する。
【００３２】
上述してきたように、実施形態における操作端末１によれば、操作者のアクセス権限レベルがオペレータレベルであると判定した場合に、コントローラ２から手動ボタン表示許可パラメータを取得することができ、この手動ボタン表示許可パラメータの値が、“ＯＦＦ”である場合に、手動ボタン２４２を操作画面上に表示しないことが可能となる。
【００３３】
それゆえに、実施形態における操作端末１によれば、操作者の操作ミスを防止することが可能となる。
【００３４】
なお、上述した実施形態では、操作パネル２４の手動ボタン２４２の表示有無を制御する場合について説明しているが、表示有無の制御対象は、手動ボタンに限定されない。例えば、操作パネル２４のモードボタン２４３の表示有無を制御することとしてもよい。この場合、モードボタン表示許可パラメータをコントローラ２から取得することとすればよい。
【００３５】
また、上述した実施形態では、アクセス権限レベルが、管理者レベルとオペレータレベルとである場合について説明しているが、アクセス権限レベルは、これに限定されない。アクセス権限レベルをさらに増やした場合には、例えば、アクセス権限レベルが、全ての操作を許可するレベルではない場合に、手動ボタンの表示を禁止することとすればよい。
【符号の説明】
【００３６】
１  操作端末
２  コントローラ
３  デバイス
３ａ  センサ機器
３ｂ  バルブポジショナ
１１  表示部
１２  判定部
１３  取得部
２１  通信部
２２  ＰＩＤ演算部
２３  スイッチ
２４  操作パネル
１００  機器管理システム
２３１、２３２  接点
２４１  自動ボタン
２４２  手動ボタン
２４３  モードボタン
【図２】
2015036848.tif 000003
【図５】
2015036848.tif 000004
【図１】
2015036848.tif 000005
【図３】
2015036848.tif 000006
【図４】
2015036848.tif 000007